(57)【要約】　　　（修正有）【課題】両手を使わなくても、片手で、楽に操作できて飲用可能であり、かつ、口を直かにつけて必要量を飲めるようにする。【解決手段】飲み口として、直かに口を付けて飲むために、口に含める筒形部１５を閉じ蓋１２に立ち上がり状に設け、飲み口１５の口縁１６に接して液密に密閉するパッキング２０を有するキャップ１３を閉じ蓋１２に軸支し、飲み口１５を密閉した状態でキャップ１３をロックし、また飲用時に指先の操作でロックを解除可能であり、かつ開き方向に左右するばね手段を有するロック機構２５を具備する。【選択図】　　　　図３
0003097680.tif 000002
【実用新案登録請求の範囲】
【請求項１】
容器の開口に施す閉じ蓋を有し、閉じ蓋に設けられている飲み口を開閉可能なキャップを有する飲料容器であって、飲み口として、直かに口をつけて飲むために、口に含める筒形部を閉じ蓋に立ち上がり状に設け、飲み口の口縁に接して液密に密閉するパッキングを有するキャップを閉じ蓋に軸支し、飲み口を密閉した状態でキャップをロックし、また飲用時に指先の操作でロックを解除可能であり、かつ開き方向に作用するばね手段を有するロック機構を具備して成る飲料容器。
【請求項２】
キャップは、閉じ蓋の後側に軸支されていて、筒形部の後方へ開き、筒形部は、口縁が後方へ傾斜している請求項１記載の飲料容器。
【請求項３】
パッキングは、筒形部の口縁に一部が入り込んで密閉栓の　ようになる凸面状の形態を有している請求項１又は２記載の飲料容器。
【考案の詳細な説明】
【０００１】
【考案の属する技術分野】
本考案は、容器の開口に施す閉じ蓋を有し、閉じ蓋に設けられている飲み口を開閉可能なキャップを有する飲料容器に関するものである。
【０００２】
【従来の技術】
従来の飲料容器は、ねじ栓を緩めて口を開けるねじ式のもの、ボタン又はレバーを押し引きする操作で弁を開ける弁式のもの、或いはポップアップするストローを有するストロー式のものなどが代表的なものである。この内、ねじ式のものは、両手で扱わなければ飲料を飲むことができず、両手が塞がっているときは不便であり、弁式のものは開口が大き過ぎるため、口をつけて直かに飲むときには注意しないと顔に飲料がかかるおそれがある。またストロー式のものは、構造上吸引量が少ないため、例えばスポーツ中に飲むような場合にはもの足りず、爽快感に欠けるという問題があった。
【０００３】
【考案が解決しようとする課題】
本考案は前記の点に着目してなされたもので、その課題は、両手を使わなくても、片手で操作して、楽に飲用可能であり、かつ直かに口をつけて、飲み口から必要量を飲用できるようにすることである。本考案の他の課題は、ストローよりも相対的に多量の飲料を飲用可能とするのに適したシール性を有する飲料容器を提供することである。
【０００４】
【課題を解決するための手段】
前記の課題解決するため本考案は、飲み口として、直かに口をつけて飲むために、口に含める筒形部を閉じ蓋に立ち上がり状に設け、飲み口の口縁に接触して液密に密閉するパッキングを有するキャップを閉じ蓋に軸支し、飲み口を密閉した状態でキャップをロックし、また飲用時に指先の操作でロックを解除可能であり、かつ開き方向に作用するばね手段を有するロック機構を具備するという手段を講じたものである。
【０００５】
即ち本考案に係る飲料容器は、閉じ蓋を有しており、それに設けられている飲み口はキャップで開閉される。飲み口は、直かに口をつけて飲みやすいように、口に含むように或いは口にくわえるように、筒形部の形態を取り、閉じ蓋に立ち上がり状に設けられている。飲み口になる筒形部の口縁は、そこに接触するパッキングにより液密に密閉される。
【０００６】
キャップは、閉じ蓋に軸支されるが、それは飲み手側を前とした場合、後側に軸支され、かつ後方へ開くように設けられていることが望ましく、かつ筒形部は口縁が後方へ傾斜していることが望ましい。口縁の後方へ傾斜により、キャップを閉じるときに水平位置まで回転させずに済む（図３参照）。
【０００７】
パッキングは、筒形部の口縁に接触して液密に密閉するために、キャップに設けられる。筒形部は、ストローよりも相対的に大径であり、それによってスポーツ中に飲むような場合にも十分な飲用量を保証するものである。そしてこの大径の筒形部の口縁において密閉を確実にするために、パッキングは、筒形部の口縁に一部が入り込んで密閉栓のようになる凸面状の形態を有するものであることが望ましい。
【０００８】
そして、キャップは、閉じ蓋にロック機構によってロックされる。このロック機構は、パッキングにより飲み口を密閉した状態でキャップをロックすることができ、飲用時には指先の操作でロックを解除することができる。またキャップは開き方向にばね付勢されており、そのことによって、ロックが解除されると自動的にキャップが開くこととなる。
【０００９】
【考案の実施の形態】
以下図示の実施形態を参照して本考案をより詳細に説明する。図１は、本考案に係る飲料容器１０の外観を示しており、図中、１１は容器、１２はその開口に施した閉じ蓋、１３はキャップを示す。なお例示の容器１１は、真空ジャケット構造から成る保温／保冷構造を有する（図３参照）。
【００１０】
閉じ蓋１２は、容器１１の開口部とねじ結合している。例示のねじ結合は、開口部外周の雄ねじ部と、閉じ蓋内周の雌ねじ部とから成り、符号１４で示している。閉じ蓋１２には、飲み口として、口に含むために適当な大きさ及び形状を有する筒形部１５が上面から立ち上がり状に設けられている。筒形部１５は円形容器１１の中心軸よりも前方へややずれた位置にあり、かつ後方へ傾斜して設けられた口縁１６を有しており、口縁１６は丸味を帯びた形態を有している。
【００１１】
飲み口を開閉するためのキャップ１３は、閉じ蓋１２の後側にて、支軸１７により、前後方向へ回転可能に取り付けられており、例示の場合には、軸部に設けたばね手段１８によって開き方向、即ち後方へ回転するように設けられている。キャップ１３は、閉じたときに口縁１６の後方への傾斜とほぼ同じ角度に傾斜した天面１９を有している。
【００１２】
キャップ１３の傾斜した天面１９には、パッキング２０が、口縁１６を液密に密閉するために設けられている。例示のパッキング２０は、口縁１６の内部に一部が入り込んで密閉栓のようになる凸面状の形態を有しており、パッキング２０の周縁２１は、口縁１６に対し、全周でほぼ均一な接触圧力で接触する。なお、閉じ蓋１２と容器１１との液密性の保持は、ねじ部１４外側のシール手段２２によって達せられる。
【００１３】
キャップ１３を閉じ蓋１２にロックするロック機構２５として、閉じ蓋１２の方に可動爪２３が設けられ、キャップ１３の方に固定爪２４が設けられている。例示のロック機構２５は、ワンタッチ操作でロック解除可能とするために、可動爪２３と一体の押しボタン２６を有しており、これらにはロックばね２７が作用していて、可動爪２３をロック方向に、また押しボタン２６を押し戻す方向に付勢するように設けられている。押しボタン２６はロック部材２８と夫々の左右で係合可能に設けられており、ロック部材２８は押しボタン２６に対して左右方向へ移動可能になっていて、ロック部材２８の右に設けられたスライド２９を左へ押すとロック部材２８が押しボタン２６と係合するため押せなくなり（図４）、ロック部材２８の左に設けられたスライド２９′を右へ押すと、ロック部材２８が係合しなくなるため押しボタン２６を押すことができるようになる（図５）。なお、３０はバンドの吊り手を示す。なお、スライド２９、２９′は位置決めによってロック又はアンロック位置に固定される。
【００１４】
従って、図１の状態において、スライド２９を押し込み、ロック機構２５のロックを解除して、押しボタン２６を押すと、キャップ１３がばね手段１８によって開くので（図２）、飲み口（１５）が露出し、容器内の液体を飲用することができる。この間の操作に必要なのは容器１１を持ちながら押しボタン２６を押すことだけであるから、片手で楽に行なえる。飲用時、液流は筒形部１５に向かうが、一部は障壁３１にぶつかって減勢されるので適量が適切な勢いで飲み口から飲用に供される。また閉じるのもキャップ１３をかぶせるだけで良いから片手操作で済み、完全に液密の状態になる。
【００１５】
【考案の効果】
本考案は以上の如く構成されかつ作用するものであるから、両手を使わなくても、片手で、操作して楽に飲用可能であり、かつ口をつけて直かに飲み口からストローなどよりも多量の飲料を飲むことができ、また使わない状態では万全のシール性を発揮する実用性の優れた飲料容器を提供することができる。
【図面の簡単な説明】
【図１】本考案に係る飲料容器の１実施形態を示す斜視図。
【図２】同上容部の斜視図。
【図３】同じく縦断面図。
【図４】同じくロック状態の横断面図。
【図５】ロック機構をアンロック状態にした横断面図。
【符号の説明】
１０　飲料容器
１１　　容器
１２　　閉じ蓋
１３　キャップ
１５　飲み口である筒形部
１６　口縁
１８　ばね手段
２０　パッキング
２５　ロック機構
２６　押しボタン
【図１】
0003097680.tif 000003
【図２】
0003097680.tif 000004
【図３】
0003097680.tif 000005
【図４】
0003097680.tif 000006
【図５】
0003097680.tif 000007